(57)【要約】  温度センサは、ハウジングと、少なくとも部分的にハウジング内に配置された温度感知素子とを含む。異なるサイズにつくられた粒子を混合したものを含むことがある粒状媒体はハウジング内に配置され、少なくとも部分的に温度感知素子を取り囲む。粒状媒体は、前記ハウジング内の還元性雰囲気を回避するために酸素を取り込むことができる。
2009531717.tif 000002
【特許請求の範囲】
【請求項１】
ハウジングと、
前記ハウジング内に配置された温度感知素子と、
前記ハウジング内および少なくとも部分的に前記温度感知素子の周囲に配置された粒状媒体と、を含む温度センサであって、
前記粒状媒体が第１の粒子および第２の粒子を混合したものを含み、前記第２の粒子が第１の粒子よりも小さいサイズを有し、
それにより前記粒子媒体内に隙間容積が、前記ハウジング内の還元性雰囲気を回避するのに十分なだけの量の酸素を取り込むために規定される、温度センサ。
【請求項２】
前記温度感知素子が、少なくとも１つの基板上に配置された金属膜を含む抵抗温度検出器を含む、請求項１に記載の温度センサ。
【請求項３】
前記第１および第２の粒子の少なくとも一方が、酸化マグネシウム、アルミナ、酸化カルシウム、酸化チタン、酸化マンガン、酸化ホウ素からなる群から選択された材料を含む、請求項１に記載の温度センサ。
【請求項４】
前記第１および第２の粒子の少なくとも一方がセラミック材料を含む、請求項１に記載の温度センサ。
【請求項５】
前記第２の粒子が、前記第１の粒子のサイズの約７１％のサイズを有する、請求項１に記載の温度センサ。
【請求項６】
前記第２の粒子が、前記第１の粒子のサイズの約５０％以下のサイズを有する、請求項１に記載の温度センサ。
【請求項７】
前記センサがさらに本体部分を含み、前記ハウジングが前記本体部分に結合されて、その中に前記温度感知素子および前記粒状媒体が密封される、請求項１に記載の温度センサ。
【請求項８】
ハウジングと、
前記ハウジング内に配置された温度感知素子であって、少なくとも１つの基板上に配置された金属膜を有する抵抗温度検出器を含む温度感知素子と、
前記ハウジング内および少なくとも部分的に前記温度感知素子の周囲に配置された粒状媒体であって、第１の粒子および第２の粒子を混合したものを含み、前記第２の粒子が、前記第１の粒子のサイズの約７１％以下のサイズを有し、それにより前記粒状媒体内に隙間容積が、前記ハウジング内の還元性雰囲気を回避するのに十分なだけの量の酸素を取り込むために規定される、粒状媒体と、
本体部分と、を含む温度センサであって、
前記ハウジングが前記本体部分に結合されて、その中に前記温度感知素子および前記粒状媒体が密封される、温度センサ。
【請求項９】
前記第１および第２の粒子の少なくとも一方が、酸化マグネシウム、アルミナ、酸化カルシウム、酸化チタン、酸化マンガン、酸化ホウ素からなる群から選択された材料を含む、請求項８に記載の温度センサ。
【請求項１０】
前記第２の粒子が、前記第１の粒子のサイズの約５０％以下のサイズを有する、請求項８に記載の温度センサ。
【請求項１１】
ハウジングと、
前記ハウジング内に配置された温度感知素子であって、少なくとも１つの基板上に配置された金属膜を含む抵抗温度検出器を含む温度感知素子と、
前記ハウジング内および少なくとも部分的に前記温度感知素子の周囲に配置された粒状媒体と、を含む温度センサであって、
前記粒状媒体が第１の粒子および第２の粒子を混合したものを含み、前記第２の粒子が、前記第１の粒子のサイズの約７１％以下のサイズを有し、それにより前記粒状媒体内に隙間容積が、酸素を取り込むために規定される、温度センサ。
【請求項１２】
温度センサの劣化を低減する方法であって、
ハウジングの内面をあらかじめ酸化するステップと、
ハウジング内に前記温度感知素子を配置するステップと、
前記ハウジング内および少なくとも部分的に前記温度感知素子の周囲に粒状媒体を供給するステップと、を含み、
前記粒状媒体が隙間容積を形成し、前記隙間容積内に酸素を取り込む、方法。
【請求項１３】
前記粒状媒体が第１の粒子および第２の粒子を混合したものを含み、
前記第２の粒子が第１の粒子よりも小さいサイズを有し、
前記隙間容積が、前記ハウジング内の還元性雰囲気を回避するのに十分なだけの量の酸素を取り込むのに十分である、請求項１２に記載の方法。
【請求項１４】
前記第２の粒子が、前記第１の粒子のサイズの約７１％のサイズを有する、請求項１３に記載の方法。
【請求項１５】
前記第２の粒子が、前記第１の粒子のサイズの約５０％以下のサイズを有する、請求項１３に記載の方法。
【請求項１６】
前記方法がさらに、前記温度感知素子および前記粒状媒体の周囲に密閉環境を得るために前記ハウジングを密封するステップを含む、請求項１２に記載の方法。
【請求項１７】
前記方法がさらに、前記流動媒体のある詰込み密度を達成するために、前記ハウジングまたは前記温度感知素子の少なくとも一方を振動させるステップを含む、請求項１２に記載の方法。
【請求項１８】
エンジンと、
前記エンジンから排気ガスを搬送するように構成された排気システムと、
前記排気ガスの温度を検出するために前記排気システムに結合された温度センサと、を含むシステムであって、
前記温度センサが、
ハウジングと、
前記ハウジング内に配置された温度感知素子と、
前記ハウジング内および少なくとも部分的に前記温度感知素子の周囲に配置された粒状媒体であって、第１の粒子および第２の粒子を混合したものを含み、前記第２の粒子が第１の粒子よりも小さいサイズを有し、それにより前記粒状媒体内に隙間容積が、前記ハウジング内の還元性雰囲気を回避するのに十分なだけの量の酸素を取り込むために規定される、粒状媒体と、を含み、
前記システムがさらに、
前記温度センサの出力に応答して前記エンジンの少なくとも１つの動作パラメータを制御するように構成された車両制御システムを含む、システム。
【請求項１９】
前記第２の粒子が、前記第１の粒子のサイズの約７１％のサイズを有する、請求項１８に記載のシステム。
【請求項２０】
前記第２の粒子が、前記第１の粒子のサイズの約５０％以下のサイズを有する、請求項１８に記載のシステム。
【発明の詳細な説明】
【技術分野】
【０００１】
本出願は、２００６年３月２８日出願の米国仮出願第６０／７４３８５６号の優先権を主張する。上記出願の教示を、参照により本明細書に組み込む。
【０００２】
本発明は一般に温度センサに関し、より詳細には、それだけには限らないが、排気ガス温度を検出する温度センサを含む。
【背景技術】
【０００３】
薄膜抵抗温度検出器は、それだけには限らないが、エンジンからの排出物または排気を含む多くの適用例で温度を検出するために使用される温度センサの一種である。例えば、このような検出器を使用して、内燃エンジンの排気ガス温度を検出することができる。排気ガス温度センサは、エンジン管理システムの一部とすることができる。部分的に測定された排気ガス温度に基づいて、燃料供給など様々な動作パラメータは、調整されうる。
【発明の開示】
【発明が解決しようとする課題】
【０００４】
白金金属膜抵抗温度検出器は、排出物温度を検出するために使用される温度センサの１つの特定の種類である。このような温度検出器に使用される白金金属抵抗素子は環境条件の影響を受けやすい。例えば、還元性雰囲気では、周囲の雰囲気中の酸素がある閾濃度未満になった場合に、抵抗素子の白金膜のマイグレーションがその基板から生じることがある。白金の分解またはマイグレーションにより抵抗温度検出器から白金が著しく失われると、温度検出器の性能および寿命に悪影響が及ぶ可能性がある。
【０００５】
密閉された、すなわちカプセル化された温度センサの内面は、閉じ込められた酸素と密閉環境内で反応し、それによって酸素濃度が低減し、その結果生じる還元性環境により白金抵抗素子が損傷を受けやすい状態になることがある。内部容積があまりに大きいと抵抗温度検出器素子がセンサの外部から断熱され、そのため熱応答時間が大幅に増加し、センサの性能が低下する可能性があるので、密閉された温度センサ内部に含まれてもよい空気の量が限定されることもある。筐体の内部容積の制限のために、たとえセンサの最終組立前に筐体の内面があらかじめ酸化されていても、内面および／または汚染物質のさらなる酸化により酸素濃度がなお低減して、白金抵抗素子が損傷を受けやすい状態になることがある。
【０００６】
密閉環境を設けない開放形温度プローブは、還元性雰囲気の存在下での金属膜の損失またはマイグレーションを防止するために、外部雰囲気に対し開放して温度検出器の白金膜との酸素交換を可能にしている。開放設計により外部雰囲気との連絡が可能になりうるとはいえ、外部雰囲気では、薄膜抵抗素子の損失、すなわちその損傷を防止するのに十分なだけの酸素濃度を必ずしも確保することができない。加えて、開放設計では、すす、ほこり、燃焼副産物などの汚染物質が入ることを可能にすることもある。このような汚染物質は、温度検出器の基板、白金膜などと反応し、それを攻撃、阻害し、熱応答時間などを妨げ、あるいはそれらとは別にマイナスの影響を及ぼす可能性がある。
【発明を実施するための最良の形態】
【０００７】
本発明の特徴および利点を、本発明と整合する実施形態を説明することで示す。この説
明は、添付の図面と併せ読まれたい。
【０００８】
本発明は、一般に温度センサを対象とする。特定の実施形態により、１つの温度センサを説明するが、この温度センサを適切に使用して、温度の測定が必要な内燃エンジン、タービン（ジェット推進）、燃料電池、または他の応用例の排気ガス温度など、排気ガス温度を検出することができる。しかし、本発明と整合する温度センサは、車両と関係しても関係しなくても、種々の他の応用例に関連して使用することができる。
【０００９】
図１を参照すると、車両１０の一実施形態が概略的に示されている。車両１０は、排気システム１４を有する内燃エンジン１２を含むことができ、この排気システムは、エンジン１２から排気ガスの流れを搬送することができる。排気システム１４によって搬送される排気ガスの温度を測定するために、温度センサ１６を排気システム１４に結合することができる。温度センサ１６は、排気ガスの温度に対応する、または排気ガスの温度を示す出力を生成することができる。エンジン制御モジュールなどの車両制御システム１８は、温度センサ１６からの出力を受け取ることができる。エンジン制御システム１８は、温度センサ１６の出力に応答して、燃料供給、燃料／空気比など１つまたは複数の動作パラメータを変えることができる。
【００１０】
図２および図３を参照すると、本発明と整合する温度センサ１６の一実施形態の一部分が、側面断面図および正面断面図で示されている。温度センサ１６は一般に、縦方向本体２０を含むことができ、本体２０の一端にハウジング２２が配置される。少なくとも部分的にハウジング２２内に温度感知素子２４を配置することができる。温度感知素子２４から本体２０にかけて、温度センサ１６の電気接続部２６、２８が延びることができる。図示されていないが、温度センサは、フランジおよび取付ナット、圧縮フェルールなど種々の取付機構を含むこともでき、これらの取付機構は、概ね封止された排気システムの状態を維持しながら、少なくとも部分的には排気システム内に延びる温度センサを取り付けることができる。同様に、温度センサは、温度センサの電気接続部に電気的に結合された電気コネクタまたは接点を含むこともできる。適切なコネクタは、一体型機構ならびにピグテールコネクタを含むことができる。
【００１１】
温度感知素子２４は、素子の電気抵抗が温度の関数として変化できる抵抗温度感知素子とすることができる。特定の一実施形態では、温度感知素子２４は、基板２７の上に配置された膜、例えば白金膜である少なくとも１つの金属膜２５を含む薄膜抵抗温度検出器とすることができる。本発明に関して、熱電対など種々の温度感知素子も同様に使用することができる。
【００１２】
図示のように、ハウジング２２は、内部容積２１を画定することができる。温度感知素子２４は、ハウジング２２によって画定された内部容積内に少なくとも部分的に配置することができる。そのように、温度感知素子２４は、ハウジング２２によって少なくとも部分的にカプセル化することができる。ハウジング２２は、温度センサ１６の本体２０とハウジング２２の開端３０で結合することができる。一実施形態において、ハウジング２２は、概ね気密の封止を実現するように本体２０と結合させ、それによって、概ね密閉された環境内に温度感知素子２４を配置することができる。概ね密閉された環境により、温度感知素子２４が外部環境の汚染物質などにさらされることを低減またはなくすることができる。
【００１３】
ハウジング２２によって得られる密閉雰囲気により、温度感知素子２４が汚染物質にさらされることを防止または低減することができる。それに応じて、ハウジング２２によって得られる概ね密閉された環境により、温度感知素子２４のすぐ周辺の環境を少なくとも部分的には維持または制御することができる。白金金属膜抵抗温度検出器、または同様に影響を受けやすい素子では、ハウジング２２によって得られる内部容積により、十分な量の酸素が温度センサ１６の内部雰囲気中に存在することが可能になって、温度感知素子２４の劣化または劣化速度を低減することができる。
【００１４】
粒状媒体３２をハウジング２２内に配置することができ、それが温度感知素子２４を少なくとも部分的に取り囲むことができる。粒状媒体３２は、薄片、顆粒、粉末など制限のない形態で提供されてよい。本開示に関して、さまざまな材料を粒状媒体３２として適切に使用することができる。一実施形態では、粒状媒体３２は、温度センサ１６の所望の動作温度によって悪影響を受けない材料とすることができる。また、粒状媒体は、温度感知素子２４の寿命または性能に悪影響を及ぼすこともない。例示的な一実施形態によれば、粒状媒体３２は、酸化マグネシウム、アルミナ、酸化カルシウム、酸化チタン、酸化マンガン、もしくは酸化ホウ素、またはこれらの組合せ、あるいは形態で重要な隙間を有する任意の材料または諸材料の組合せとして、それらの間で浸透性気体（１つまたは複数）の捕捉を可能にすることができる。別の実施形態において、粒状媒体は、セラミック材料、金属材料など他の材料を含むことができる。
【００１５】
温度感知素子２４を少なくとも部分的に取り囲む粒状媒体３２は、温度感知素子２４をハウジング２２内で少なくとも部分的に支持する。温度感知素子２４を少なくとも部分的に取り囲む粒状媒体３２は、温度感知素子２４の移動を制限することができる。粒状媒体３２で温度感知素子２４を支持することにより、例えば振動、衝撃などのために温度感知素子２４にかかる機械的負荷および物理的応力を制限することができる。したがって、温度感知素子２４は、粒状媒体３２によってある程度物理的に保護される。
【００１６】
一態様によれば、粒状媒体３２は、空気または気体媒体よりも大きい熱伝導性を有することができる。粒状媒体３２は、ハウジング２２と温度感知素子２４の間を分離するどんな断熱効果も少なくともある程度抑えることができる。粒状媒体３２は、ハウジング２２と温度感知素子２４の間に熱経路を形成することができ、したがって、温度センサ１６の熱応答を向上させることができる。例示的な１つの特定の媒体３２に関して、酸化マグネシウムまたは他の選択された構成要素は、炭素鋼と概して同じ程度になりうる熱伝導率を有することができる。選択された媒体は、それが封入された環境では反応性が低くなり、あるいは予測可能で定量化可能なように反応することができる広範囲の熱伝導率を有する種々の材料を適切に使用することができるので、熱伝導率の特定の値または範囲、あるいは熱伝導率の比較の値または範囲が限度として解釈されるべきではない。複数の粒径、および前記粒子の種類について検討されてよい。
【００１７】
ハウジング２２と温度感知素子２４の間に熱経路を形成することに加えて、媒体３２の粒子形状により、ある隙間容積、すなわち個別の粒子間の容積を形成することができる。粒状媒体３２の隙間容積は、ある量の酸素が粒状媒体３２内に取り込まれることを可能にすることができる。粒状媒体３２の隙間容積に取り込まれたその量の酸素は、純粋な酸素ガスとして存在することもあり、あるいは他の成分と混合された状態で得られることもある。例えば、ある酸素体積分率を有する空気を粒状媒体３２の隙間容積に取り込むことができる。粒状媒体３２内に取り込まれた酸素が、例えばハウジングなどの酸化にある量の酸素を失うことを可能にすることができる一方で、ハウジング２２の内部容積内に十分な量の酸素を依然として保持して、還元性雰囲気中での温度感知素子（あるいは、前述した還元性雰囲気または状態によってマイナスの影響を受けるあらゆる素子）の劣化を防ぎ、または遅らせることができる。本明細書では、還元性雰囲気とは、ハウジング内の酸素が閾値未満になった場合に発生し、それによって、感知素子構造部、例えば金属膜の一部分であるマイグレーションが結合された基板から生じる。
【００１８】
粒状媒体３２は、酸素とは比較的低い反応性を示す材料から生成することができる。酸素との反応性が低いと、ハウジング２２内に含まれている酸素が消費されにくく、したがって酸素が残って、温度感知素子２４の劣化が防止または低減されうる。上述の粒状媒体と整合性のある、酸化マグネシウムまたは他の選択された構成要素は、酸素との非常に低い反応性を高温でさえも適切に示すことがある。セラミック材料および耐熱性材料などを含む他の種々の材料もまた、酸素との比較的低い反応性を示すことがある。
【００１９】
粒状媒体３２の上記の態様のいずれとも整合性を有し、粒状媒体３２のサイズおよびサイズ分布（すなわち粒径の範囲）を変えて、所望の特性を得ることができる。例えば、粒径がより大きく、粒径分布が比較的狭いと、粒状媒体３２の隙間容積が大きくなり、それに応じて、粒状媒体３２内に取り込むことができる酸素の量が増加しうる。しかし、粒径がより大きく、粒径分布が比較的狭いと、ハウジング２２の内部と粒状媒体３２の間、および粒状媒体３２と温度感知素子２４との間で、また媒体３２の隣接粒子間でさえも接触表面積が減少する可能性がある。接触表面積が比較的小さいと、ハウジング２２と温度感知素子２４の間の熱経路としての粒状媒体３２の効果が低減する可能性がある。
【００２０】
一実施形態では、粒状媒体３２は、諸粒径を混合したものを含めて酸素含有率、および温度センサ１６の熱応答を制御することができる。より小さい粒子がより大きい粒子の隙間に少なくとも部分的にあり、それによって熱経路の効果を増大させる一方で、酸素の取込みのための開いた隙間容積をなお確保することができる。一実施形態で使用される特定の粒子の粒径（１つまたは複数）は、センサ、ハウジングおよび感知素子２４の寸法および構成によって決まりうる。一実施形態では、小さい方の粒子は大きい方の粒子のメッシュサイズの約７１％以下とすることができる。別の実施形態では、小さい方の粒子は大きい方の粒子のメッシュサイズの約５０％以下とすることができる。例えば、＋１００メッシュおよび＋２００メッシュの粒（例えば酸化マグネシウム粒）を含む諸粒径を混合したものを使用することができる。別の例では、＋１００メッシュ、＋１４０メッシュ、＋２００メッシュおよび−２００メッシュの粒を含む諸粒径を混合したものを使用することができる。
【００２１】
本発明と整合する温度センサ１６は、劣化を防止または低減するために酸素濃度をある閾濃度より高く維持する能力など、様々な特性を高めるように製造することができる。例えば、ハウジング２２の内面を不動態化してハウジング２２の反応性を低減することができる。ハウジング２２の反応性が低減されると、ハウジング２２の酸化による酸素損失が低減しうる。
【００２２】
このような一実施形態では、ハウジング２２の内面をあらかじめ酸化することができる。あらかじめ酸化することは、例えば酸素にさらすこと、化学酸化剤を用いて処理することなどを含む既知の任意の方法によって実現できる。センサ素子を中に有するハウジングが外部雰囲気に対してひとたび密閉されれば、あらかじめ酸化することにより湿気汚染およびさらなる酸化を防止することができる。
【００２３】
別の態様では、温度センサ１６のハウジング２２を振動充填して、粒状媒体３２の沈降を可能にすることができる。例えば、ハウジング２２内に少なくとも部分的に挿入された温度感知素子２４とともにハウジング２２を、粒状媒体３２がハウジング２２内に導入されるときに振動させることができる。別の実施形態では、ハウジング２２に粒状媒体３２を少なくとも部分的に充填することができる。温度感知素子２４がハウジング２２内に少なくとも部分的に挿入されるときに、ハウジング２２を粒状媒体３２とともに振動させることができる。ハウジング２２および粒状媒体３２を振動させると、粒状媒体３２が少なくとも部分的に流動化し、それによって温度感知素子２４の挿入、ならびに温度感知素子２４の周囲の粒状媒体３２の沈降が容易になりうる。振動充填技法を用いると、粒状媒体３２の適正な沈降を可能にし、温度感知素子２４の物理的保護を向上させ、粒状媒体３２によって得られる熱伝導性を高めることができる。もちろん、ハウジング内の温度感知素子の周囲に少なくとも部分的に配置される粒状媒体を供給するのに他の操作を用いることもできる。
【００２４】
一態様によれば、本開示と整合する温度センサは、密閉ハウジング内の温度感知素子を取り囲むことができる酸化マグネシウムまたは他の選択された構成要素などの粒状媒体内に取り込まれた酸素を供給することができる。ハウジングの密閉環境は、温度感知素子を保護し、ハウジングの内部容積内に設けられた環境内に温度感知素子を保持することができる。加えて、ハウジングによって設けられた密閉環境は、汚染物質の浸透を防止することができる。粒状媒体の隙間容積内に取り込まれた酸素は、例えば還元性環境による温度感知素子の劣化を低減させるのに十分なだけの量の酸素を供給することができる。粒状媒体はまた、ハウジングと温度感知素子の間に、温度センサの十分な熱応答をもたらすことができる熱経路を形成することもできる。粒状媒体は、一般に性質が非反応性のものとし、ハウジングの内面と、一部の実施形態では粒状媒体自体とをあらかじめ酸化して、媒体またはハウジングの酸化が継続する結果としての、ハウジングの密閉環境内の酸素の消耗を低減することができる。
【００２５】
別の態様によれば、ハウジングと、ハウジング内に配置された温度感知素子と、ハウジング内および少なくとも部分的に温度感知素子の周囲に配置された粒状媒体とを含む温度センサが提供される。粒状媒体は、第１の粒子と第２の粒子を混合したものを含み、第２の粒子が第１の粒子よりも小さいサイズを有し、それにより第１の粒子および第２の粒子の間に隙間容積が、ハウジング内の還元性雰囲気を回避するのに十分なだけの量の酸素を取り込むために規定される。
【００２６】
別の態様によれば、ハウジングと、ハウジング内に配置された温度感知素子であって、少なくとも１つの基板上に配置された金属膜を含む抵抗温度検出器を含む温度感知素子と、ハウジング内および少なくとも部分的に温度感知素子の周囲に配置された粒状媒体と、本体部分とを含む温度センサが提供され、ハウジングが本体部分に結合されて、その中に温度感知素子および粒状媒体が密封される。粒状媒体は、第１の粒子および第２の粒子を混合したものを含み、第２の粒子が、第１の粒子のサイズの約７１％以下のサイズを有する。粒状媒体は、第１の粒子と第２の粒子の間に隙間容積を、ハウジング内の還元性雰囲気を回避するのに十分なだけの量の酸素を取り込むために規定する。
【００２７】
別の態様によれば、ハウジングと、ハウジング内に配置された温度感知素子と、少なくとも１つの基板上に配置された金属膜を含む抵抗温度検出器を含む温度感知素子と、ハウジング内および少なくとも部分的に温度感知素子の周囲に配置された粒状媒体とを含む温度センサが提供される。粒状媒体は、第１の粒子および第２の粒子を混合したものを含み、第２の粒子が、第１の粒子のサイズの約７１％以下のサイズを有する。粒状媒体は、第１の粒子と第２の粒子の間に隙間容積を、酸素を取り込むために規定する。
【００２８】
別の態様によれば、ハウジングの内面をあらかじめ酸化すること、ハウジング内に温度感知素子を配置すること、ならびにハウジング内および少なくとも部分的に温度感知素子の周囲に粒状媒体を供給することを含む、温度センサの劣化を低減させる方法が提供され、粒状媒体が隙間容積を形成し、この隙間容積内に酸素を取り込む。
【００２９】
別の態様によれば、エンジンと、エンジンから排気ガスを搬送するように構成された排気システムと、排気ガスの温度を検出するために排気システムに結合された温度センサと、温度センサの出力に応答してエンジンの少なくとも１つの動作パラメータを制御するように構成された車両制御システムとを含むシステムが提供される。温度センサは、ハウジングと、ハウジング内に配置された温度感知素子と、ハウジング内および少なくとも部分的に温度感知素子の周囲に配置された粒状媒体とを含む。粒状媒体は、第１の粒子および第２の粒子を混合したものを含み、第２の粒子が第１の粒子よりも小さいサイズを有し、それにより第１の粒子と第２の粒子の間に隙間容積が、ハウジング内の還元性雰囲気を回避するのに十分なだけの量の酸素を取り込むために規定される。
【００３０】
本明細書に開示された特定の実施形態に関して説明した特徴および態様には、本明細書に記載の他の様々な実施形態での組合せおよび／または応用の余地がありうる。こうした他の実施形態に対する、そのような説明した特徴および態様のそのような組合せおよび／または応用は、本明細書で企図されている。加えて、本明細書に開示された実施形態には、開示された主題の趣旨から実質的に逸脱することなく、多数の変形および改変の余地がある。したがって、本明細書の発明は、本明細書に開示された特定の実施形態に限定されると考えられるべきではない。
【図面の簡単な説明】
【００３１】
【図１】本発明と整合する温度センサを含む車両の概略図である。
【図２】本発明と整合する温度センサの一実施形態の側面断面図である。
【図３】図２に示された温度センサの正面断面図である。
【符号の説明】
【００３２】
１０  車両、１２  内燃エンジン、１４  排気システム、１６  温度センサ、１８  車両制御システム，エンジン制御システム、２０  本体、２１  内部容積、２２  ハウジング、２４  温度感知素子、２５  金属膜、２６，２８  電気接続部、２７  基板、３０  開端、３２  粒状媒体
【図１】
2009531717.tif 000003
【図２】
2009531717.tif 000004
【図３】
2009531717.tif 000005
【国際調査報告】
2009531717.tif 000006
2009531717.tif 000007
2009531717.tif 000008
2009531717.tif 000009